(57)【要約】【課題】操作装置の冷却性能を向上させる。【解決手段】操作装置１０は、操作孔１１を有するパネル１２と、パネル１２の背面を覆うケース１３と、パネル１２とケース１３との間に形成された収容空間１４内に収容されると共に通電時に発熱する発熱部品１５と、収容空間１４内のうち発熱部品１５の下方の位置に収容されると共にパネル１２の面に沿う方向の回転軸１６を有するダイアル１７と、を備え、ダイアル１７の周縁部３０の少なくとも一部は、操作孔１１から露出しており、ダイアル１７の周縁部３０と操作孔１１の孔縁部との隙間３７は、収容空間１４とパネル１２及びケース１３の外部とを連通しており、パネル１２及びケース１３の少なくとも一方は、発熱部品１５よりも上方の位置に、収容空間１４とパネル１２及びケース１３の外部とを連通する排気孔４４を有する。【選択図】図２
2017118012.tif 000002
【特許請求の範囲】
【請求項１】
操作孔を有するパネルと、
前記パネルの背面を覆うケースと、
前記パネルと前記ケースとの間に形成された収容空間内に収容されると共に通電時に発熱する発熱部品と、
前記収容空間内のうち前記発熱部品の下方の位置に収容されると共に前記パネルの面に沿う方向の回転軸を有するダイアルと、を備え、
前記ダイアルの周縁部の少なくとも一部は、前記操作孔から露出しており、前記ダイアルの周縁部と前記操作孔の孔縁部との隙間は、前記収容空間と前記パネル及び前記ケースの外部とを連通しており、
前記パネル及び前記ケースの少なくとも一方は、前記発熱部品よりも上方の位置に、前記収容空間と前記パネル及び前記ケースの外部とを連通する排気孔を有する、操作装置。
【請求項２】
前記ケースには、前記ダイアルよりも下方の位置に、前記収容空間と前記ケース及び前記パネルの外部とを連通する吸気孔が形成されている、請求項１に記載の操作装置。
【請求項３】
前記発熱部品は発熱部品ホルダに保持されており、
前記発熱部品ホルダは、前記収容空間に面した部分に発熱部品露出孔を有しており、前記発熱部品露出孔から前記発熱部品が露出している、請求項１または請求項２に記載の操作装置。
【請求項４】
前記発熱部品ホルダには、前記発熱部品よりも上方の位置であって、且つ、前記排気孔の下方の位置に、発熱部品ホルダ排気孔を有する、請求項３に記載の操作装置。
【請求項５】
前記発熱部品ホルダ排気孔は、前記排気孔の鉛直下方からずれた位置に配されている、請求項４に記載の操作装置。
【請求項６】
前記ダイアルはダイアルホルダに保持されており、
前記ダイアルホルダは、前記ダイアルの周縁部の少なくとも一部が前記収容空間内に露出するダイアル露出孔を有する、請求項１から請求項５のいずれか一項に記載の操作装置。
【請求項７】
前記発熱部品は、有機ＥＬ発光体である、請求項１から請求項６のいずれか一項に記載の操作装置。
【請求項８】
前記ダイアルの周縁部には、凹凸部が形成されている、請求項１から請求項７のいずれか一項に記載の操作装置。
【発明の詳細な説明】
【技術分野】
【０００１】
本明細書に開示された技術は、発熱部品を備えた操作装置に関する。
【背景技術】
【０００２】
従来、操作装置として、特開２０１０−１０８６３２号公報に記載のものが知られている。この操作装置は、パネルと、パネルの背面に配された基板と、基板に実装された発光素子等の電子部品を備える。パネルの表面には、パネルの板面と交差する回転軸を有するダイアルノブが取り付けられている。
【先行技術文献】
【特許文献】
【０００３】
【特許文献１】特開２０１０−１０８６３２号公報
【発明の概要】
【発明が解決しようとする課題】
【０００４】
上記の構成においては、電子部品に電流が流されると、電子部品は発熱する。操作装置のパネルの表面に、電子部品を冷却するための孔を設けることは、パネルの見栄えに影響を及ぼすので難しい。このため、電子部品から発生した熱により、回路基板上に実装された他の電子部品に悪影響が及ぶことが懸念される。
【０００５】
本明細書に開示された技術は上記のような事情に基づいて完成されたものであって、操作装置の冷却性能を向上させることを目的とする。
【課題を解決するための手段】
【０００６】
本明細書に開示された技術は、操作孔を有するパネルと、前記パネルの背面を覆うケースと、前記パネルと前記ケースとの間に形成された収容空間内に収容されると共に通電時に発熱する発熱部品と、前記収容空間内のうち前記発熱部品の下方の位置に収容されると共に前記パネルの面に沿う方向の回転軸を有するダイアルと、を備え、前記ダイアルの周縁部の少なくとも一部は、前記操作孔から露出しており、前記ダイアルの周縁部と前記操作孔の孔縁部との隙間は、前記収容空間と前記パネル及び前記ケースの外部とを連通しており、前記パネル及び前記ケースの少なくとも一方は、前記発熱部品よりも上方の位置に、前記収容空間と前記パネル及び前記ケースの外部とを連通する排気孔を有する。
【０００７】
上記の構成によれば、ダイアルの周縁部と、操作孔の孔縁部との隙間から、収容空間内に外気が流入することができるようになっている。主要空間内に流入された空気は、収容空間内に収容された発熱部品と接触する。すると、発熱部品で発生した熱が、外部から流入された空気へと伝達される。熱を受けた空気は比重が小さくなって収容空間内を上昇する。上昇した空気は、発熱部品よりも上方の位置に設けられた排気孔から、操作装置の外部へと放出される。これにより、発熱部品で発生した熱は、操作装置の外部へと放散される。このように本構成によれば、ダイアルの周縁部と、操作孔の孔縁部との隙間からの自然吸気によって、発熱部品を冷却することができる。
【０００８】
このとき、ダイアルを回転軸周りに回転させると、ダイアルの周縁部と、操作孔の孔縁部との隙間のうち、ダイアルの周縁部が収容部の内部に入り込むように回転する部分において、ダイアルの回転に巻き込まれるようにして、外気が収容部内に導入される。これにより、単なる自然吸気によって、ダイアルの周縁部と、操作孔の孔縁部との隙間から外気が収容空間内に流入するよりも、より多くの外気を収容空間内に流入させることができる。これにより、操作装置の冷却性能を向上させることができる。
【０００９】
本明細書に開示された技術の実施態様としては以下の態様が好ましい。
【００１０】
前記ケースには、前記ダイアルよりも下方の位置に、前記収容空間と前記ケース及び前記パネルの外部とを連通する吸気孔が形成されている。
【００１１】
上記の構成によれば、操作孔に加えて、更に、収容空間内に外気を流入させるための開口面積を大きくすることができる。これにより、外気をより多く収容空間内に流入させることができるので、操作装置の冷却性能をより向上させることができる。
【００１２】
前記発熱部品は発熱部品ホルダに保持されており、前記発熱部品ホルダは、前記収容空間に面した部分に発熱部品露出孔を有しており、前記発熱部品露出孔から前記発熱部品が露出している。
【００１３】
上記の構成によれば、発熱部品露出孔から露出した発熱部品は、収容空間内を流通する空気によって直接に冷却される。これにより、操作装置の冷却性能を更に向上させることができる。
【００１４】
前記発熱部品ホルダには、前記発熱部品よりも上方の位置であって、且つ、前記排気孔の下方の位置に、発熱部品ホルダ排気孔を有する。
【００１５】
上記の構成によれば、発熱部品から熱を受け取った空気は、発熱部品ホルダ内を上昇し、発熱部品ホルダ排気孔から上方に流出し、排気孔から操作装置の外部へと放出される。これにより、発熱部品ホルダ内に熱がこもることが抑制されるので、操作装置の冷却性能を更に向上させることができる。
【００１６】
前記発熱部品ホルダ排気孔は、前記排気孔の鉛直下方からずれた位置に配されている。
【００１７】
上記の構成によれば、排気孔の鉛直下方には、発熱部品ホルダ排気孔は位置していない。このため、排気孔から埃、水等の異物が収容空間内に侵入した場合であっても、これらの異物が発熱部品ホルダ排気孔の内部に侵入することが抑制されるようになっている。これにより、異物が発熱部品と接触して、不具合が発生することが抑制されるようになっている。
【００１８】
前記ダイアルはダイアルホルダに保持されており、前記ダイアルホルダは、前記ダイアルの周縁部の少なくとも一部が前記収容空間内に露出するダイアル露出孔を有する。
【００１９】
上記の構成によれば、ダイアルが回転されると、ダイアルのうち収容空間内に露出した部分において、収容空間内の空気が撹拌される。これにより、収容空間内において、自然対流による空気の流れに加えて、ダイアルの回転による強制的な空気の流れが発生する。この結果、空気の自然対流のみによる場合よりも、操作装置の冷却性能を向上させることができる。
【００２０】
前記発熱部品は、有機ＥＬ発光体である。
【００２１】
有機ＥＬ発光体は、通電時に発生する熱量が比較的に大きい。このため、本構成は、操作装置に有機ＥＬ発光体を適用した場合に特に有効である。
【００２２】
前記ダイアルの周縁部には、凹凸部が形成されている。
【００２３】
上記の構成によれば、ダイアルを回転させた時に、ダイアルの周縁部に形成された凹凸部に空気が巻き込まれることによって、ダイアルの周縁部と操作孔の孔縁部との隙間から、収容空間内に、より多くに空気が流入するようになる。これにより、操作装置の冷却性能をより向上させることができる。
【発明の効果】
【００２４】
本明細書に開示された技術によれば、操作装置の冷却性能を向上させることができる。
【図面の簡単な説明】
【００２５】
【図１】実施形態１に係る操作装置を示す一部切欠正面図
【図２】図１におけるＩＩ−ＩＩ線断面図
【図３】操作装置を示す背面斜視図
【図４】実施形態２に係る操作装置を示す一部切欠正面図
【発明を実施するための形態】
【００２６】
＜実施形態１＞
本明細書に開示された技術の実施形態１を、図１ないし図３を参照しつつ説明する。本実施形態に係る操作装置１０は、車両（図示せず）のインスツルメントパネル（図示せず）に取り付けられる。操作装置１０は、例えば、エアコンの温度調節や、風量調節のために使用される。なお、以下の説明では、Ｘ方向を右方とし、Ｙ方向を前方とし、Ｚ方向を上方として説明する。また、複数の同一部材については、一部の部材に符号を付し、他の部材については符号を省略する場合がある。
【００２７】
図２に示すように、本実施形態に係る操作装置１０は、操作孔１１を有するパネル１２と、パネル１２の背面（後面）を覆うケース１３と、パネル１２とケース１３との間に形成された収容空間１４内に収容されると共に通電時に発熱する発熱部品１５と、パネル１２の面に沿う方向の回転軸１６を有するダイアル１７と、を備える。
【００２８】
（パネル１２）
パネル１２は、光透過性の合成樹脂からなる。パネル１２は、透明パネルであってもよいし、また、特定の波長の光のみを透過する偏光パネルであってもよい。パネル１２は、前壁１８と、前壁１８の側縁から後方に延びる側壁１９と、を備える。
【００２９】
本実施形態においては、パネル１２の前壁１８は、やや後方に傾きつつ、概ね上下方向に立った姿勢で配されている。
【００３０】
側壁１９の外面には、外方に突出する複数のロック部２０が形成されている。このロック部２０と、後述するケース１３に形成された複数のロック受け部２１とが弾性的に係合することにより、パネル１２とケース１３とが一体に組み付けられるようになっている。
【００３１】
パネル１２とケース１３とが組み付けられた状態で、パネル１２とケース１３との間には、収容空間１４が形成されている。収容空間１４は、やや後方に傾きつつ、概ね上下方向に延びて形成されている。
【００３２】
パネル１２の前壁１８の前面には、文字、数字、記号等が印刷等により記載されていてもよい。図１には、パネル１２の前壁１８の前面に、例えば、上向きの三角形と、下向きの三角形とが、上下方向に並んで記載されている。
【００３３】
（発熱部品１５）
収容空間１４の概ね上半分には、通電時に発熱する発熱部品１５が収容されている。本実施形態においては、発熱部品１５は有機ＥＬ発光体２２とされている。有機ＥＬ発光体２２は、公知の構造であって、発光層（図示せず）の前面及び後面に電極（図示せず）が形成されている。前面側の電極には、公知の透明電極が用いられている。後面側の電極には、公知の金属電極が用いられている。
【００３４】
発熱部品１５に通電されると、有機ＥＬ発光体２２が発光し、例えば、図１に示すように、パネル１２の前壁１８の前面に、文字、数字、記号等が表示されるようになっている。図１においては、パネル１２の前壁１８の前面に、アラビア数字で「２３．５」と表示されている。
【００３５】
発熱部品１５は、合成樹脂製の発熱部品ホルダ２３に保持されている。発熱部品ホルダ２３は、発熱部品１５の後面に位置する保持壁２４と、保持壁２４の側縁から後方に延びる脚部２５と、を備える。保持壁２４は、パネル１２の前壁１８と略平行な姿勢で配されている。
【００３６】
（ダイアルホルダ２６）
収容空間１４の概ね下半分には、ダイアル１７が収容されている。ダイアル１７は、合成樹脂製のダイアルホルダ２６に保持されている。ダイアルホルダ２６は、後壁２７と、後壁２７の側縁から前方に延びる側壁２８と、を備える。
【００３７】
ダイアル１７は、略円板状をなしている。ダイアル１７は、左右方向に延びる回転軸１６を有している。このように本実施形態においては、ダイアル１７の回転軸１６は、パネル１２の前壁１８の壁面に沿う方向に延びて配されている。
【００３８】
ダイアルホルダ２６の後壁２７は、パネル１２の前壁１８と略平行な姿勢で配されている。ダイアルホルダ２６の後壁２７には、収容空間１４に面した部分に、ダイアル露出孔２９が貫通されている。ダイアル露出孔２９からは、ダイアル１７の周縁部３０の少なくとも一部が収容空間１４内に露出するようになっている。ダイアル１７の周縁部３０は、円板状をなすダイアル１７のうち円形状をなす２つの底面を除いた側面をいう。
【００３９】
（回路基板３１）
発熱部品ホルダ２３と、ダイアルホルダ２６は、回路基板３１の前面に取り付けられている。回路基板の前面に、発熱部品ホルダ２３の脚部２５が取り付けられている。また、回路基板３１の前面に、ダイアルホルダ２６の側壁２８が取り付けられている。回路基板３１には、プリント配線技術により導電路（図示せず）が形成されている。導電路は、回路基板３１の前面及び後面の一方又は双方に形成されている。
【００４０】
回路基板３１には、ダイアル露出孔２９に対応する位置に、ダイアル露出孔２９よりも広い範囲に亘って、ダイアル１７の周縁部３０との干渉を避ける窓部３２が開孔されている。
【００４１】
図３に示すように、回路基板３１は、後述するケース１３の後壁３３を貫通するボルトによってケース１３に固定されている。
【００４２】
（ケース１３）
ケース１３は、後壁３３と、後壁３３から前方に延びる側壁３４と、を備える。上記したように、ケース１３の側壁３４には、ケース１３とパネル１２とが組み付けられた状態で、パネル１２の側壁１９に設けられたロック部２０に対応する位置に、ロック部２０と弾性的に係止するロック受け部２１が形成されている。
【００４３】
図３に示すように、後壁３３の外縁部には、前方に引っ込んだ段差部３５が設けられている。この段差部３５の前面に、回路基板３１が載置された状態で、ネジ３６により固定されるようになっている。
【００４４】
（冷却構造）
続いて、発熱部品１５を冷却するための冷却構造について説明する。
【００４５】
（操作孔１１）
パネル１２の前壁１８には、ダイアル１７に対応する位置に、ダイアル１７の周縁部３０の一部が露出する操作孔１１が開孔されている。操作孔１１の孔縁は前方から見て略長方形状をなしている。操作孔１１から、ダイアル１７の周縁部３０の一部が前方に突出している。ダイアル１７の周縁部３０と、操作孔１１の孔縁との間には隙間３７が形成されている。
【００４６】
ダイアル１７の回転軸１６は、パネル１２の内側の領域内に配されている。このため、操作孔１１からは、ダイアル１７の周縁部３０のうち、半分よりも少ない部分が露出するようになっている。
【００４７】
一方、ダイアル１７の周縁部３０のうち操作孔１１から露出した部分を、操作者が指で触れて回転させることができることが必要なので、操作孔１１からは、ダイアル１７の周縁部３０のうち、少なくとも、操作者が指で触れることができる程度の領域が露出している。
【００４８】
ダイアル１７は、図２における時計回り方向（矢線Ａで示す方向）、及び反時計回り方向（矢線Ｂで示す方向）の双方について回転可能に配されている。詳細には、ダイアル１７のうち、操作孔１１から前方に突出した部分を操作者が指で触れることにより、ダイアル１７を、図２における時計回り方向、又は反時計回り方向に回転させることができるようになっている。
【００４９】
ダイアル１７の周縁部３０と、操作孔１１の孔縁との隙間３７は、パネル１２とケース１３との間に囲まれて形成された収容空間１４と連通している。これにより、外気が収容空間１４内に流入可能になっている。なお、収容空間１４内の空気はダイアル１７の周縁部３０と、操作孔１１の孔縁との隙間３７から、収容空間１４の外部に流出してもよい。
【００５０】
（吸気孔）
ケース１３のうち、下端部寄りの位置に設けられた段差部３５には、左右方向に間隔を空けて、複数の第１吸気孔３８（吸気孔の一例）が貫通されている。第１吸気孔３８の孔縁は、後方から見て矩形状をなしている。第１吸気孔３８は、パネル１２とケース１３との間に形成された収容空間１４と連通している。
【００５１】
第１吸気孔３８の斜め前上方の位置には、ダイアルホルダ２６が配されている。換言すると、第１吸気孔３８は、ダイアル１７よりも下方の位置に設けられている。ダイアルホルダ２６は、第１吸気孔３８の斜め前上方の位置に、収容空間１４と連通するダイアルホルダ側吸気孔３９を有する。このダイアルホルダ側吸気孔３９により、収容空間１４内の空気がダイアルホルダ２６内に流入するようになっている。
【００５２】
ケース１３の後壁３３のうち、段差部３５よりも後方に突出した部分には、下端部寄りの位置に、左右方向に間隔を空けて、複数の第２吸気孔４０（吸気孔の一例）が貫通されている。第２吸気孔４０の孔縁は、後方から見て、矩形状をなしている。第２吸気孔４０は、パネル１２とケース１３との間に形成された収容空間１４と連通している。
【００５３】
第２吸気孔４０の斜め前上方の位置には、ダイアルホルダ２６のダイアル露出孔２９が位置している。換言すると、第２吸気孔４０は、ダイアル１７よりも下方の位置に設けられている。ダイアル露出孔２９の孔縁部と、ダイアル１７の周縁部３０との隙間から、収容空間１４内の空気がダイアルホルダ２６内に流入することができるようになっている。
【００５４】
（ダイアルホルダ２６排気孔）
ダイアルホルダ２６の側壁２８のうち、上側に位置する側壁２８には、ダイアルホルダ側排気孔４１が貫通されている。ダイアルホルダ側排気孔４１は概ね上下方向に開口している。ダイアルホルダ側排気孔４１を介して、ダイアルホルダ２６内の空気は、上方に流出するようになっている。ダイアルホルダ２６の上方には発熱部品ホルダ２３及び発熱部品１５が配されているので、ダイアルホルダ２６内の空気は、発熱部品ホルダ２３及び発熱部品１５に向かって流出するようになっている。
【００５５】
（発熱部品露出孔４２）
発熱部品ホルダ２３の保持壁２４には、収容空間１４に面した部分に発熱部品露出孔４２が貫通されている。この発熱部品露出孔４２から、発熱部品１５の少なくとも一部が収容空間１４内に露出している。これにより、発熱部品１５は、収容空間１４内の空気に熱を伝達することができるようになっている。
【００５６】
（発熱部品ホルダ側排気孔４３）
発熱部品ホルダ２３は、発熱部品露出孔４２よりも上方の位置に、上下方向に貫通する発熱部品ホルダ側排気孔４３を有する。この発熱部品ホルダ側排気孔４３は、発熱部品露出孔４２から露出した発熱部品１５よりも上方の位置に配されている。この発熱部品ホルダ側排気孔４３を通って、発熱部品１５から熱を伝達された空気が上方に流出することができるようになっている。
【００５７】
（排気孔４４）
ケース１３及びパネル１２には、発熱部品ホルダ側排気孔４３よりも上方の位置に、それぞれ、排気孔４４が形成されている。ケース１３に設けられた排気孔４４と、パネル１２に設けられた排気孔４４とは、上下方向について略整合して配されている。これにより、収容空間１４と、ケース１３及びパネル１２の外部の空間とが連通されている。この結果、ケース１３とパネル１２との間に形成された収容空間１４内の空気は、ケース１３及びパネル１２の外部に流出可能になっている。
【００５８】
発熱部品ホルダ側排気孔４３は、ケース１３及びパネル１２に形成された排気孔４４の鉛直下方の位置から前方にややずれた位置に配されている。
【００５９】
（実施形態の、作用、効果）
続いて、本実施形態の作用、効果について説明する。本実施形態に係る操作装置１０は、操作孔１１を有するパネル１２と、パネル１２の背面を覆うケース１３と、パネル１２とケース１３との間に形成された収容空間１４内に収容されると共に通電時に発熱する発熱部品１５と、収容空間１４内のうち発熱部品１５の下方の位置に収容されると共にパネル１２の面に沿う方向の回転軸１６を有するダイアル１７と、を備え、ダイアル１７の周縁部３０の少なくとも一部は、操作孔１１から露出しており、ダイアル１７の周縁部３０と操作孔１１の孔縁部との隙間３７は、収容空間１４とパネル１２及びケース１３の外部とを連通しており、パネル１２及びケース１３の少なくとも一方は、発熱部品１５よりも上方の位置に、収容空間１４とパネル１２及びケース１３の外部とを連通する排気孔４４を有する。
【００６０】
上記の構成によれば、ダイアル１７の周縁部３０と、操作孔１１の孔縁部との隙間３７から、収容空間１４内に外気が流入することができるようになっている。主要空間内に流入された空気は、収容空間１４内に収容された発熱部品１５と接触する。すると、発熱部品１５で発生した熱が、外部から流入された空気へと伝達される。熱を受けた空気は比重が小さくなって収容空間１４内を上昇する。上昇した空気は、発熱部品１５よりも上方の位置に設けられた排気孔４４から、操作装置１０の外部へと放出される。これにより、発熱部品１５で発生した熱は、操作装置１０の外部へと放散される。このように本構成によれば、ダイアル１７の周縁部３０と、操作孔１１の孔縁部との隙間３７からの自然吸気によって、発熱部品１５を冷却することができる。
【００６１】
このとき、ダイアル１７を回転軸１６周りに回転させると、ダイアル１７の周縁部３０と、操作孔１１の孔縁部との隙間３７のうち、ダイアル１７の周縁部３０が収容部の内部に入り込むように回転する部分において、ダイアル１７の回転に巻き込まれるようにして、外気が収容部内に導入される。これにより、単なる自然吸気によって、ダイアル１７の周縁部３０と、操作孔１１の孔縁部との隙間３７から外気が収容空間１４内に流入するよりも、より多くの外気を収容空間１４内に流入させることができる。これにより、操作装置１０の冷却性能を向上させることができる。
【００６２】
詳細に説明すると、図２において、ダイアル１７を矢線Ｂで示す方向に回転させると、ダイアル１７の周縁部３０と、操作孔１１の孔縁部との隙間３７のうち、上側に位置する隙間３７から、収容空間１４内に外気が流入するようになっている。この外気の流れについては、図２において黒い矢線で示した。
【００６３】
一方、ダイアル１７を図２における矢線Ａで示す方向に回転させると、ダイアル１７の周縁部３０と、操作孔１１の孔縁部との隙間３７のうち、下側に位置する隙間３７から、収容空間１４内に外気が流入するようになっている。
【００６４】
また、本実施形態によれば、ケース１３には、ダイアル１７よりも下方の位置に、収容空間１４とケース１３及びパネル１２の外部とを連通する第１吸気孔３８、及び第２吸気孔４０が形成されている。
【００６５】
上記の構成によれば、操作孔１１に加えて、更に、収容空間１４内に外気を流入させるための開口面積を大きくすることができる。これにより、外気をより多く収容空間１４内に流入させることができるので、操作装置１０の冷却性能をより向上させることができる。
【００６６】
また、本実施形態によれば、発熱部品１５は発熱部品ホルダ２３に保持されており、発熱部品ホルダ２３は、収容空間１４に面した部分に発熱部品露出孔４２を有しており、発熱部品露出孔４２から発熱部品１５が露出している。
【００６７】
上記の構成によれば、発熱部品露出孔４２から露出した発熱部品１５は、収容空間１４内を流通する空気によって直接に冷却される。これにより、操作装置１０の冷却性能を更に向上させることができる。
【００６８】
また、本実施形態によれば、発熱部品ホルダ２３は、発熱部品１５よりも上方の位置であって、且つ、排気孔４４の下方の位置に、発熱部品ホルダ側排気孔４３を有する。
【００６９】
上記の構成によれば、発熱部品１５から熱を受け取った空気は、発熱部品ホルダ２３内を上昇し、発熱部品ホルダ側排気孔４３から上方に流出し、排気孔４４から操作装置１０の外部へと放出される。これにより、発熱部品ホルダ２３内に熱がこもることが抑制されるので、操作装置１０の冷却性能を更に向上させることができる。
【００７０】
また、本実施形態によれば、発熱部品ホルダ側排気孔４３は、排気孔４４の鉛直下方からずれた位置に配されている。
【００７１】
上記の構成によれば、排気孔４４の鉛直下方には、発熱部品ホルダ側排気孔４３は位置しないようになっている。このため、排気孔４４から埃、水等の異物が収容空間１４内に侵入した場合であっても、これらの異物が発熱部品ホルダ側排気孔４３の内部に侵入することが抑制されるようになっている。これにより、異物が発熱部品１５と接触して、不具合が発生することが抑制されるようになっている。
【００７２】
また、本実施形態によれば、ダイアル１７はダイアルホルダ２６に保持されており、ダイアルホルダ２６は、ダイアル１７の周縁部３０の少なくとも一部が収容空間１４内に露出するダイアル露出孔２９を有する。
【００７３】
上記の構成によれば、ダイアル１７が回転されると、ダイアル１７のうち収容空間１４内に露出した部分において、収容空間１４内の空気が撹拌される。これにより、収容空間１４内において、自然対流による空気の流れに加えて、ダイアル１７の回転による強制的な空気の流れが発生する。この結果、空気の自然対流のみによる場合よりも、操作装置１０の冷却性能を向上させることができる。
【００７４】
また、本実施形態によれば、発熱部品１５は、有機ＥＬ発光体２２である。
【００７５】
有機ＥＬ発光体２２は、通電時に発生する熱量が比較的に大きい。このため、本構成は、操作装置１０に有機ＥＬ発光体２２を適用した場合に特に有効である。
【００７６】
＜実施形態２＞
次に、本明細書に開示された技術の実施形態２を、図４を参照しつつ説明する。本実施形態においては、ダイアル１７の周縁部３０には、左右方向に延びる複数の凹溝５０が、ダイアル１７の周方向に沿って形成されている。凹溝５０は、Ｖ字溝であってもよく、Ｕ字溝であってもよく、凹溝５０の断面形状は任意の形状を選択することができる。この凹溝５０によって、ダイアル１７の周縁部３０には凹凸部５１が形成されている。
【００７７】
上記以外の構成については、実施形態１と略同様なので、同一部材については同一符号を付し、重複する説明を省略する。
【００７８】
上記の構成によれば、ダイアル１７を回転させた時に、ダイアル１７の周縁部３０に形成された凹凸部５１に空気が巻き込まれることによって、ダイアル１７の周縁部３０と操作孔１１の孔縁部との隙間３７から、収容空間１４内に、より多くに空気が流入するようになる。これにより、操作装置１０の冷却性能をより向上させることができる。
【００７９】
＜他の実施形態＞
本明細書に開示された技術は上記記述及び図面によって説明した実施形態に限定されるものではなく、例えば次のような実施形態も本明細書に開示された技術の技術的範囲に含まれる。
【００８０】
（１）本実施形態においては、ダイアル１７の回転軸１６は、左右方向に延びる構成としたが、これに限られず、ダイアル１７の回転軸１６は、上下方向に延びる構成としてもよいし、また、上下方向及び左右方向について斜めに延びる構成としてもよい。
【００８１】
（２）本実施形態においては、発熱部材は有機ＥＬ発光体２２としたが、これに限られず、半導体スイッチング素子、リレー等の、任意の電子部品でもよい。
【００８２】
（３）実施形態２においては、凹凸部５１として、ダイアル１７の周縁部３０に凹溝５０が形成される構成としたが、これに限られず、凹凸部５１としては、ダイアル１７の周縁部３０に、円柱状、角柱状、円錐状、角錐状、円錐台状、角錐台状、半球状等、任意の形状の突起が形成される構成としてもよいし、また、複数の凹溝５０が交差して形成される構成としてもよい。
【符号の説明】
【００８３】
１０：操作装置
１１：操作孔
１２：パネル
１３：ケース
１４：収容空間
１５：発熱部品
１６：回転軸
１７：ダイアル
２２：有機ＥＬ発光体
２３：発熱部品ホルダ
２６：ダイアルホルダ
２９：ダイアル露出孔
３０：周縁部
３７：隙間
３８：第１吸気孔
４０：第２吸気孔
４２：発熱部品露出孔
４３：発熱部品ホルダ側排気孔
４４：排気孔
５１：凹凸部
【図１】
2017118012.tif 000003
【図２】
2017118012.tif 000004
【図３】
2017118012.tif 000005
【図４】
2017118012.tif 000006